(57)【要約】  イメージングシステムは、本体と、本体に結合されているステージと、本体およびステージに結合されているアクチュエータとを含む。アクチュエータは、ステージを本体に対して１つまたは複数の方向に動かすように構成されている。イメージングシステムはまた、１つまたは複数の検出器を含み、ステージに結合されている焦点面アレイと、アクチュエータに結合されているコントローラとを含む。コントローラは、本体の速度を決定し、アクチュエータに、本体の速度に対応する駆動速度において１つまたは複数の方向においてステージをバックスキャンさせるように構成されている。さらに、コントローラは、１つまたは複数の検出器に通信可能に結合され、１つまたは複数の検出器に、バックスキャン中に画像データをキャプチャさせることができる。【選択図】図２
2021520100.tif 000002
【特許請求の範囲】
【請求項１】
本体と、
前記本体に結合されているステージと、
前記本体および前記ステージに結合されているアクチュエータであって、前記アクチュエータは、前記本体に対して１つまたは複数の方向に前記ステージを動かすように構成されている、アクチュエータと、
１つまたは複数の検出器を備え、前記ステージに結合されている焦点面アレイと、
前記アクチュエータに結合されているコントローラであって、前記コントローラは、前記本体の速度を決定するように構成されており、前記コントローラは、前記アクチュエータに、前記本体の前記速度に対応する駆動速度において前記１つまたは複数の方向に前記ステージをバックスキャンさせるように構成されており、前記コントローラは、前記１つまたは複数の検出器に通信可能に結合され、前記１つまたは複数の検出器に、前記バックスキャン中に画像データをキャプチャさせる、コントローラと
を備える、イメージングシステム。
【請求項２】
前記アクチュエータが圧電アクチュエータである、請求項１に記載のイメージングシステム。
【請求項３】
前記本体に結合されているレンズをさらに備える、請求項１に記載のイメージングシステム。
【請求項４】
前記駆動速度が鋸歯状プロファイルによって特徴付けられる、請求項１に記載のイメージングシステム。
【請求項５】
前記本体の前記速度は、航空機または衛星のうちの少なくとも１つの前進速度に対応する、請求項１に記載のイメージングシステム。
【請求項６】
前記焦点面アレイが１つまたは複数のスペクトルフィルタをさらに含む、請求項１に記載のイメージングシステム。
【請求項７】
前記本体の前記速度、前記駆動速度、または前記画像データのうちの少なくとも１つまたは複数を送信および受信するように構成されたＩ／Ｏモジュールをさらに備える、請求項１に記載のイメージングシステム。
【請求項８】
本体を提供することと、
前記本体に結合されているアクチュエータを提供することと、
前記アクチュエータに結合されているステージを提供することと、
前記ステージに結合されている画像センサを提供することと、
前記本体の運動に対応する本体速度を決定することと、
前記本体速度に関連する駆動速度を決定することと、
前記アクチュエータを使用して、前記本体速度に対する前記駆動速度において前記ステージをバックスキャンすることと、
前記ステージのバックスキャン中に、前記画像センサによって１つまたは複数のフレームをキャプチャすることと
を含む、方法。
【請求項９】
前記ステージをバックスキャンすることが、制御信号を前記アクチュエータに送信することをさらに含む、請求項８に記載の方法。
【請求項１０】
前記駆動速度およびタイマを使用して前記ステージの位置を決定することをさらに含む、請求項８に記載の方法。
【請求項１１】
前記本体速度を決定することは、メモリから前記本体速度を読み取ることをさらに含む、請求項８に記載の方法。
【請求項１２】
前記駆動速度において前記ステージをバックスキャンすることは、
１つまたは複数の利得係数を決定することと、
前記１つまたは複数の利得係数に応答して前記駆動速度を更新することと
をさらに含む、請求項８に記載の方法。
【請求項１３】
１つまたは複数のステージ位置センサを提供することと、
前記１つまたは複数のステージ位置センサから位置センサデータを受信することと、
前記位置センサデータを使用してステージ位置を決定することと
をさらに含む、請求項８に記載の方法。
【請求項１４】
駆動速度におけるステージのバックスキャンを開始するための制御信号をアクチュエータに送信することと、
本体速度を読み取ることと、
前記本体速度に応答して前記駆動速度を更新することと、
前記ステージの位置を決定することと、
前記ステージがカットオフ振幅に達することを判定することと、
後に、前記ステージを初期位置にリセットするための第２の制御信号を送信することと
を含む、方法。
【請求項１５】
前記制御信号を送信することは、タイマをリセットすることをさらに含む、請求項１４に記載の方法。
【請求項１６】
前記本体速度および前記タイマを使用して前記ステージの前記位置を決定することをさらに含む、請求項１５に記載の方法。
【請求項１７】
前記本体速度を決定することは、メモリから前記本体速度を読み取ることをさらに含む、請求項１４に記載の方法。
【請求項１８】
前記本体速度を決定することは、Ｉ／Ｏサブシステムから前記本体速度を受信することをさらに含む、請求項１４に記載の方法。
【請求項１９】
前記駆動速度を更新することは、
１つまたは複数の利得係数を決定することと、
前記１つまたは複数の利得係数に応答して前記駆動速度を更新することと
をさらに含む、請求項１４に記載の方法。
【請求項２０】
前記ステージが前記カットオフ振幅に到達することを判定することは、
位置センサデータを受信することと、
前記位置センサデータが前記カットオフ振幅に関連する値を超えることを判定することと
を含む、請求項１４に記載の方法。
【発明の詳細な説明】
【技術分野】
【０００１】
[0001]関連出願の相互参照
本出願は、２０１８年３月３０日に出願された「地球観測イメージング中の焦点面アレイのスキャンのための方法およびシステム」と題する米国仮特許出願第６２／６５０，９７８号に対する優先権を主張し、その開示は、参照によりその全体が本明細書に組み込まれる。
【背景技術】
【０００２】
[0002]衛星イメージングが開発されている。凝視型センサ（ｓｔａｒｉｎｇ  ｓｅｎｓｏｒ）を使用する低地球軌道イメージングアプリケーションでは、衛星の対地速度が原因で画像が不鮮明になる。したがって、衛星イメージングに関連する改善された方法およびシステムが当該技術分野において必要とされている。
【発明の概要】
【課題を解決するための手段】
【０００３】
[0003]本発明の実施形態は、一般に、画像安定化のためのシステムおよび方法に関し、特に、焦点面アレイ位置決めシステムを使用した画像のぼけまたはスミアの低減に関する。焦点面アレイ位置決めシステムは、焦点面アレイをバックスキャンして、画像スミアを低減または除去し、相対エッジ応答を改善し、画像に関連する積分時間の増加を可能にすることができる。積分時間を長くすることによって、センサの信号対雑音比を向上させ、観測されているシーンの特徴を検出する能力を向上させることができる。焦点面アレイをバックスキャンすることによって、追加のスキャンミラーおよび複雑な機械システムを組み込んでレンズを動かしまたはレンズの前の視野を操作して画像を安定させる必要性が減少するかまたはなくなる。
【０００４】
[0004]本発明の一実施形態によれば、イメージングシステムは、本体、ステージ、およびアクチュエータを含む。いくつかの実施形態では、アクチュエータは、本体およびステージに結合し、ステージを本体に対して１つまたは複数の方向に動かすように構成することができる。画像センサが、ステージに結合され得る。１つまたは複数の検出器を含む焦点面アレイがステージに結合され得る。コントローラが、アクチュエータに結合され得、本体の速度を決定し、アクチュエータが、本体の速度に対応する駆動速度においてステージを１つまたは複数の方向にバックスキャンするためにステージを１つまたは複数の方向に動かすようにすることができる。コントローラは、１つまたは複数の検出器に通信可能に結合することができ、１つまたは複数の検出器に、バックスキャン中に画像データをキャプチャさせることができる。
【０００５】
[0005]いくつかの実施形態では、アクチュエータは、圧電アクチュエータとすることができる。いくつかの実施形態では、イメージングシステムは、本体に結合されているレンズを含む。いくつかの実施形態では、駆動速度は、鋸歯状プロファイルによって特徴付けることができる。他の実施形態では、本体の速度は、航空機または衛星のうちの少なくとも１つの前進速度に対応することができる。いくつかの実施形態では、１つまたは複数の検出器は、１つまたは複数の焦点面アレイを含む。１つまたは複数の焦点面アレイは、１つまたは複数のスペクトルフィルタを含むことができる。いくつかの実施形態では、イメージングシステムは、本体の速度、駆動速度、または画像データのうちの少なくとも１つまたは複数を送信および受信するように構成されたＩ／Ｏモジュールを含むことができる。
【０００６】
[0006]本発明の一実施形態によれば、方法が提供される。本方法は本体を提供する。本方法は、本体に結合されているアクチュエータを提供する。本方法はさらに、アクチュエータに結合されているステージを提供する。本方法は、ステージに結合されている像面を提供する。本方法は、本体の運動に対応する本体速度を決定する。場合によっては、本体速度を決定することは、メモリから本体速度を読み取ることを含む。場合によっては、本体速度を決定することは、Ｉ／Ｏサブシステムから本体速度を受信することを含む。本方法は、本体速度に関連する駆動速度を決定する。本方法は、アクチュエータを使用して、本体速度に関連する駆動速度においてステージをバックスキャンする。場合によっては、バックスキャンは制御信号をアクチュエータに送信することを含む。場合によっては、バックスキャンは、１つまたは複数の利得係数を決定し、１つまたは複数の利得係数に応答して駆動速度を更新することを含む。本方法は、画像センサによるステージのバックスキャン中に１つまたは複数のフレームをキャプチャする。
【０００７】
[0007]いくつかの実施形態では、本方法は、駆動速度およびタイマを使用してステージの位置を決定することをさらに含む。いくつかの実施形態では、本方法は、１つまたは複数のステージ位置センサを提供し、１つまたは複数のステージ位置センサから位置センサデータを受信し、位置センサデータを使用してステージ位置を決定する。実施形態によっては、本体速度を決定することは、Ｉ／Ｏサブシステムから本体速度を受信することをさらに含む。
【０００８】
[0008]本発明の別の実施形態によれば、方法が提供される。本方法は、駆動速度においてステージのバックスキャンを開始するための制御信号をアクチュエータに送信することを含む。本方法は、本体速度を決定することをさらに含む。本方法は、ステージの位置を決定することをさらに含む。本方法は、本体速度およびステージの位置に応答して駆動速度を更新することをさらに含む。さらに、本方法は、ステージがカットオフ振幅に到達していることを判定することを含む。本方法は、ステージを初期位置にリセットするための第２の制御信号を送信することをさらに含む。
【０００９】
[0009]いくつかの実施形態では、本方法は、制御信号を送信することと、タイマをリセットすることとを含む。本方法は、本体速度およびタイマを使用してステージの位置を決定することができる。いくつかの実施形態では、本体速度を決定することは、メモリから本体速度を読み取ること、Ｉ／Ｏサブシステムから本体速度を受信すること、およびセンサから本体速度を受信することのうちの少なくとも１つを含む。いくつかの実施形態では、方法は、１つまたは複数の利得係数を決定し、１つまたは複数の利得係数に応答して駆動速度を更新することにより、駆動速度を更新することができる。いくつかの実施形態では、ステージがカットオフ振幅に到達していることを判定することは、位置センサデータを受信することと、位置センサデータがカットオフ振幅に関連する値を超えることを判定することとを含む。従来技術にまさる多くの利点が本発明によって達成される。
【００１０】
[0010]本開示の例示的な実施形態は、以下の図面を参照して以下に詳細に説明される。
【図面の簡単な説明】
【００１１】
【図１】本発明の一実施形態による、カメラ本体の運動に対して調整されていない焦点面アレイを有するイメージングシステムを使用してキャプチャされた３つの連続するフレームを示す図である。
【図２】本発明の一実施形態による、本発明の実施形態に従ってイメージングシステムの運動中に焦点面アレイをバックスキャンするように構成されたイメージングシステムを示す図である。
【図３】本発明の一実施形態による、シーンに対するカメラ本体の速度に一致し、それを相殺する速度においてバックスキャンされる焦点面アレイを有するイメージングシステムを使用して「スナップ」を作成するためにキャプチャされた３つの連続するフレームを示す図である。
【図４Ａ】本発明の一実施形態による、焦点面アレイ上の画像の速度に等しい速度において動く焦点面アレイによる連続する画像フレームのキャプチャの２つの完全なサイクルを示す図である。
【図４Ｂ】本発明の一実施形態によるスナップ間の重なりを示す図である。
【図５Ａ】本発明の一実施形態による、ステージ上の５つの互い違いに突き合わせされた焦点面アレイからなる焦点面アレイを示す図である。
【図５Ｂ】本発明の一実施形態による、５つの互い違いに突き合わせされた焦点面アレイに関連するスキャンの地面観測幅を示す図である。
【図６】本発明の一実施形態による、センサの焦点面アレイを並進させる方法を示す簡略化されたフローチャートである。
【図７】本発明の一実施形態による、焦点面アレイをバックスキャンするための方法を示す簡略化されたフローチャートである。
【図８】本発明の実施形態による様々な焦点面アレイ構成の相対エッジ応答の比較を示す図である。
【図９】本発明の一実施形態による、焦点面アレイをバックスキャンするための追加の方法を示す簡略化されたフローチャートである。
【発明を実施するための形態】
【００１２】
[0022]衛星イメージング技術には数多くの干渉源が存在する。焦点面アレイの積分時間中に画像を安定させる従来の手法では、光学チェーン内で高速ステアリングミラーを使用するか、光学系を物理的にステアリングして、焦点面アレイ上の画像のポインティングを制御する。高速ステアリングミラーは大きく、特に光学系の入口開口に配置されている場合、相当量のスペースを占める可能性がある。サイズのために、大きい可動ミラーは、積分時間を開始し得る前に動かすための時間および落ち着くまでの時間がより多く必要である。これにより、信号の積分および／またはフレームスタックにかかる時間が少なくなる。本発明は、画像をステアリングする代わりに、焦点面アレイを動かして画像の運動に一致させることにより、焦点面アレイをバックスキャンすることができる。本明細書で説明する実施形態は、より小型であり、衛星搭載および航空機搭載用途に使用される従来の技法よりも信頼性を向上させる。
【００１３】
[0023]地上のシーンの画像の信号対雑音比を改善するために、画像センサによってキャプチャされた地上のシーンの個々のフレームをともに加算することができる。画像がセンサに対して動いておらず、画像の見当合わせが不要な場合、共加算は簡略化される。現代の衛星および航空カメラに使用されている大きい凝視型焦点面アレイは、露光時間中のステージの運動により、画像のぼけまたはスミアの影響を受ける。画像のぼけまたはスミアは、大きい凝視型焦点面アレイの有用な積分時間を低減し、結果として画像品質を低減する。衛星などの可動プラットフォームの焦点面アレイの運動によって引き起こされる画像のぼけに対処する既存の技術は、レンズ鏡筒を動かし、または追加のスキャンミラーを組み込む複雑な機械システムが含まれる。したがって、当該技術分野において、可動プラットフォームに位置決めされたカメラの画像ぼけを低減することに関連する改善された方法およびシステムが必要とされている。
【００１４】
[0024]本発明の実施形態は、例えば衛星ベースのイメージングシステムなどの高高度イメージングシステムを使用して行われたスキャンに存在する画像のぼけまたはスミアを低減する方法を提供する。より具体的には、本発明の実施形態は、圧電駆動ステージを利用して、センサの焦点面アレイを並進させる。いくつかの実施形態では、センサの焦点面アレイは、凝視型焦点面アレイである。いくつかの実施形態では、センサは、地球に対して動いている衛星宇宙プラットフォームの一部であり得る。センサの焦点面アレイは、地球に対するセンサの運動と同じ軸内で並進することができる。圧電駆動ステージ速度を衛星の速度に一致させることができ、結果、焦点面アレイのバックスキャンが可能になり、結果、焦点面アレイの積分期間中、画像が静止しているように見える。いくつかの実施形態では、積分期間は、焦点面アレイのバックスキャンの持続時間中、連続的であり得る。他の実施形態では、複数の連続するフレームをともに積み重ねて単一のスナップを形成することができる。焦点面アレイのバックスキャンにより、バックスキャン中に標的画像が焦点面アレイに対して動かなくなる。圧電駆動ステージは開始位置に戻ることができ、一方、視野の後縁は、すでにキャプチャされている地上のシーンを横切って動く。いくつかの実施形態では、焦点面アレイは、複数のスペクトル帯域から画像をキャプチャする焦点面アレイを含むことができる。本発明の実施形態は、安定した凝視型イメージング装置を提供する。個々の２次元の凝視画像をつなぎ合わせて、より大きい２次元の画像を作成することができる。この技術を使用すると、これまで線形スキャンセンサを使用していたスキャン運動を有する用途において、凝視型焦点面アレイを使用することが可能になる。
【００１５】
[0025]図１は、本発明の一実施形態による、カメラ本体の運動に対して調整されていない焦点面アレイを有するイメージングシステムを使用してキャプチャされた３つの連続するフレームを示す。イメージングシステム１００は、検出器モジュール１０２、静止ステージ１０４、焦点面アレイ１０６、およびレンズ１０８のうちの１つまたは複数を含む。一部の実施形態では、イメージングシステム１００は、衛星、航空機、自動車などのような移動車両に搭載することができる。図１はまた、地面１１２上の物体に関連する光線１１０を示している。
【００１６】
[0026]図１では、イメージングシステム１００は、地面１１２上の物体の上を速度１１４で動いている。第１のフレーム１１６において、地面１１２上の物体に関連する光線１１０は、焦点面アレイ１０６の中心にあり、焦点面アレイ１０６上の第１の画像１１７は、地面１１２上の物体を示す。システムの運動は、レンズ１０８によって形成される像面を動かす。第２のフレーム１２０では、イメージングシステム１００は、イメージングシステム１００の速度１１４に起因して、地面１１２上の物体に対して動いている。第２のフレーム１２０では、地面１１２上の物体に関連する光線１１０は、もはや焦点面アレイ１０６の中心になく、第１の距離１２２だけ動いている。したがって、焦点面アレイ１０６上の第２の画像１２１は、第１の画像１１７とは異なる。
【００１７】
[0027]第３のフレーム１２４では、イメージングシステム１００は、イメージングシステム１００の速度１１４に起因して、地面１１２上の物体に対してさらに動いている。第３のフレーム１２４において、地面１１２上の物体に関連する光線１１０は、この時点において第１の距離１２２および第２の距離１２６だけ動いている。したがって、焦点面アレイ１０６上の第３の画像１２５は、第１の画像１１７および第２の画像１２１とは異なる。地面１１２上の物体の画像が、第１の画像１１７、第２の画像１２１、および第３の画像１２５の積分から画像を見当合わせすることなく生成された場合、地面１１２上の物体の積分画像は、相当のぼけを含む。第１の画像１１７、第２の画像１２１または第３の画像１２５内からの画像ぼけを防ぐために、センサの積分時間は、センサ上の単一のピクセルが１ピクセル長だけ動くのにかかる時間より大幅に短くなければならない。そうでなければ、第１の画像１１７、第２の画像１２１、または第３の画像１２５の各々の中で著しい画像ぼけが発生する。
【００１８】
[0028]図２は、本発明の実施形態に従ってイメージングシステムの運動中に焦点面アレイをバックスキャンするように構成されたイメージングシステムを示す。焦点面アレイをバックスキャンすることによって、画像のキャプチャ中に十分長く留まって、適切な信号対雑音比（ＳＮＲ）を得ることが可能になる。また、バックスキャンにより、連続してキャプチャされたフレームのフレームスタッキングが可能になり、画像のぼけが軽減される。ノイズが本質的に「白色」である場合、フレームスタッキングは、積み重ねられたフレーム数の平方根によってＳＮＲを向上させる。積み重ねられた４つのフレームから構成される画像は、１つのフレームによって撮影された画像の２倍のＳＮＲを有する。イメージングシステム２００は、カメラ本体２０２、レンズ２０４、検出器モジュール２０６、コントローラ２０８、およびＩ／Ｏモジュール２１０を含むことができる。いくつかの実施形態では、イメージングシステム２００のカメラ本体２０２は、衛星または航空機などの車両内に位置決めされる。いくつかの実施形態では、カメラ本体２０２は、検出器モジュール２０６およびレンズ２０４に構造的支持および位置整合を提供するように構成することができる。いくつかの実施形態では、カメラ本体は、コントローラ２０８およびＩ／Ｏモジュール２１０のアンカーポイントを含むことができ、熱伝達および等温性能を管理するように構成することができる。他の実施形態では、カメラ本体２０２は、２つの別個の隔壁によって置き換えることができる。レンズ２０４は、第１の隔壁に取り付けることができ、検出器モジュール２０６、コントローラ２０８、およびＩ／Ｏモジュール２１０は、第２の隔壁に取り付けることができる。
【００１９】
[0029]いくつかの実施形態では、レンズ２０４は、可視光、近赤外線、短波長赤外線、中波長赤外線、長波長赤外線、および遠赤外線などの特定の波長の透過のために最適化することができる。いくつかの実施形態では、レンズ２０４は、レンズ、フィルタ、ビームスプリッタ、コリメータ、回折格子などのような１つまたは複数の光学素子を備えた光学系とすることができる。
【００２０】
[0030]検出器モジュール２０６は、本体２１２、アクチュエータ２１４、ステージ２１６、および焦点面アレイ２１８を含むことができる。検出器モジュール２０６の本体２１２は、カメラ本体２０２および／またはコントローラ２０８に結合することができる。いくつかの実施形態では、検出器モジュール２０６は、コントローラ２０８および／またはＩ／Ｏモジュール２１０に通信可能に結合される。一部の実施形態では、コントローラ２０８は、カメラ本体２０２の外側に位置決めされてもよい。
【００２１】
[0031]アクチュエータ２１４は、本体２１２およびステージ２１６に結合し、ステージ２１６を本体２１２に対して１つまたは複数の方向に動かすように構成することができる。いくつかの実施形態では、アクチュエータ２１４は、衛星プラットフォームまたは航空機の運動に対抗するために、焦点面アレイなどの焦点面アレイ２１８と共にステージ２１６を動かすように構成された圧電アクチュエータを含むことができる。圧電アクチュエータは、単一の軸または複数の軸に沿って動くように構成することができる。いくつかの実施形態では、単一の軸に沿った圧電アクチュエータの振幅は、１２００μｍであり得る。アクチュエータの動きの振幅は、５０μｍ〜１８００μｍに及ぶことができる。一部の実施形態では、アクチュエータ２１４は、０．１ｎｍ程度のバックスキャン解像度を提供することができる。他の実施形態では、アクチュエータは、２ｎｍ程度のバックスキャン解像度を提供することができる。いくつかの実施形態では、圧電アクチュエータは、フレクシャガイドを使用してステージ２１６の運動を制御することができる。フレクシャガイドは、回転部品またはスライド部品を用いることなく摩擦のない運動を可能にすることができる。
【００２２】
[0032]いくつかの実施形態は圧電アクチュエータに関して説明されているが、アクチュエータは、機械的アクチュエータ、電気機械的アクチュエータ、液圧アクチュエータ、空気圧アクチュエータなどを使用して実装することができることを理解されたい。したがって、アクチュエータ２１４は、圧電アクチュエータを示すことを意図しておらず、焦点面アレイ２１８をバックスキャンするようにステージ２１６を動かしまたは制御する機械を包含することを意図している。当業者であれば、多くの変形、修正、および代替形態を認識するであろう。
【００２３】
[0033]いくつかの実施形態では、アクチュエータ２１４は、ステージ２１６の運動および位置を監視するための１つまたは複数のセンサを含むことができる。１つまたは複数のセンサは、画像の不鮮明さに影響を与える位置、速度、加速度などの面内性能を測定することができる。１つまたは複数のセンサはまた、画像の焦点に影響を与えるｚ軸に沿った運動などの面外性能を測定することもできる。いくつかの実施形態では、１つまたは複数のセンサは容量センサである。他の実施形態では、１つまたは複数のセンサは、レーザ変位センサを含むことができる。ステージの位置は、画像処理および制御ループ計算に使用するために、コントローラ２０８および／またはＩ／Ｏモジュール２１０に送信することができる。
【００２４】
[0034]アクチュエータに結合されているステージ２１６は、焦点面アレイ２１８を含むことができる。焦点面アレイ２１８は、画像データを収集するように動作可能な１つまたは複数の焦点面アレイによって構成することができる。いくつかの実施形態では、焦点面アレイ２１８は、マイクロボロメータを含むことができる。マイクロボロメータは、ピクセルのアレイから構成することができ、各ピクセルは複数の層から構成される。いくつかの実施形態では、焦点面アレイ２１８は、補助照明または光を必要としない受動的赤外線（ＩＲ）検出器とすることができる。いくつかの実施形態では、焦点面アレイ２１８は、検出器材料を冷却することなく動作することができる。他の実施形態では、検出器モジュール２０６は、焦点面アレイ２１８と本体２１２との間の熱ストラップを含むことができる。非冷却マイクロボロメータアレイは、冷却サーマルカメラと比較して、サイズ、重量、および電力要件の低減を可能にすることができる。いくつかの実施形態では、焦点面アレイ２１８は、１つまたは複数のスペクトルフィルタを含むことができる。いくつかの実施形態では、焦点面アレイ２１８は、マルチスペクトルバンドイメージャとすることができる。他の実施形態では、焦点面アレイは、相補型金属酸化膜半導体（ＣＭＯＳ）センサ、電荷結合素子（ＣＣＤ）センサなどを含むことができる。
【００２５】
[0035]いくつかの実施形態では、単位セル（ピクセル素子）は、２０μｍ未満の寸法を含むことができる。いくつかの実施形態では、焦点面アレイ２１８は、検出器フォーマットおよび画像解像度を規定する焦点面アレイなどのアレイに構成された個々のピクセル素子を含むことができる。一般的な４：３アスペクト比のビデオフォーマットは、１６０ｘ１２０、３２０ｘ２４０、６４０ｘ４８０、１０２４ｘ７６８および１２８０ｘ９６０を含む。いくつかの実施形態では、焦点面アレイ１０６は、図５Ａおよび図５Ｂにおいてさらに説明されるように、複数の焦点面アレイを含むことができる。いくつかの実施形態では、検出器モジュールは、焦点面アレイおよび信号調整に電力を供給するためのバイアスボードを含むことができる。いくつかの実施形態では、検出器モジュール２０６は、シャッタを含むことができる。
【００２６】
[0036]コントローラ２０８は、焦点面アレイ２１８およびアクチュエータ２１４を制御するために、１つまたは複数のプロセッサ２２０およびメモリ２２２を含むことができる。コントローラ２０８は、焦点面アレイ２１８に通信可能に結合されて、焦点面アレイ２１８によって収集されたセンサデータのセンサクロッキングおよび画像処理を可能にすることができる。コントローラ２０８はまた、アクチュエータ２１４に通信可能に結合することもできる。コントローラ２０８は、ステージ２１６およびそれに結合されている焦点面アレイ２１８をバックスキャンするために、位置決め信号をアクチュエータ２１４に提供することができる。位置決め信号は、バックスキャンに関連する駆動速度に比例することができる。
【００２７】
[0037]いくつかの実施形態では、コントローラ２０８は、航空機または衛星の対地速度に比例する駆動速度を決定し、画像収集中にバックスキャンが画像の運動に一致するようにすることができる。コントローラ２０８は、カメラ本体２０２の速度を決定するために１つまたは複数のセンサを含むことができる。カメラ本体２０２の速度は、航空機または衛星の対地速度と関連付けることができる。１つまたは複数のセンサは、例えば、位置決めセンサ、加速度計、磁力計などを含むことができる。一部の実施形態では、コントローラ２０８は、Ｉ／Ｏモジュール２１０に通信可能に結合することができ、Ｉ／Ｏモジュール２１０から受信されるデータに基づいてカメラ本体２０２の速度を決定することができる。他の実施形態では、駆動速度は、低地球軌道速度などの所定の軌道速度に基づいて事前にプログラムすることができる。
【００２８】
[0038]カメラ本体２０２の速度を決定した後、駆動速度は、長い時定数を有する画像センサによって引き起こされる画像スミアを低減または排除することができるような方法を使用して決定することができる。本方法は、カメラ本体２０２の速度を使用して、航空機または衛星の運動に関連するプラットフォームの前進速度を決定することができる。本方法は、ステージ２１６および焦点面アレイ２１８に適用されたときに、プラットフォームの前進速度を補償するためにバックスキャンする駆動速度を決定することができる。
【００２９】
[0039]本明細書において使用される場合、コントローラ２０８は、アクチュエータ２１４および／または焦点面アレイ２１８の動作を制御するために、１つまたは複数の集積回路（例えば、マイクロプロセッサまたはマイクロコントローラ）として実装することができる、１つまたは複数のプロセッサを含むことができる。１つまたは複数のプロセッサは、特定の用途向けにカスタマイズすることができ、一般用途には使用することができない特定用途向け集積回路（ＡＳＩＣ）などの専用プロセッサとして実装することができる。いくつかの実施態様では、ＡＳＩＣを使用して、画像処理の速度を上げることができる。いくつかの実施形態では、コントローラ２０８は、１つまたは複数のグラフィックスプロセッシングユニット（ＧＰＵ）を含むことができる。ＧＰＵは、焦点面アレイ２１８によって収集されたセンサデータを処理するように構成することができる。シングルコアおよび／またはマルチコアプロセッサを含む１つまたは複数のプロセッサを、コントローラ２０８に含めることができる。一部の実施形態では、コントローラ２０８は、カメラ本体２０２の外側にあることができる。これらの実施形態では、焦点面アレイ２１８およびアクチュエータは、Ｉ／Ｏモジュール２１０に通信可能に結合することができる。
【００３０】
[0040]Ｉ／Ｏモジュール２１０は、イメージングシステム２００に通信可能に結合されている外部システムとデータを送受信するように構成することができる。イメージングシステム２００は、航空機、衛星などの車両内に位置決めすることができる。外部システムとの間で送受信されるデータは、速度、位置、温度などを含むことができる。いくつかの実施形態では、Ｉ／Ｏモジュールは、焦点面アレイ２１８および／またはコントローラ２０８によって収集されたセンサデータを、車両上の１つまたは複数のシステムに送信することができる。Ｉ／Ｏモジュール２１０は、データを送受信するためのデバイスコントローラ、１つまたは複数のモデム、ユニバーサルシリアルバス（ＵＳＢ）（登録商標）インターフェース、無線周波数トランシーバ構成要素、シリアルバスなどを含むことができる。
【００３１】
[0041]図３は、本発明の一実施形態による、シーンに対するカメラ本体の速度に一致し、それを相殺する速度においてバックスキャンされる焦点面アレイを有するイメージングシステムを使用して「スナップ」を作成するためにキャプチャされた３つの連続するフレームを示す。イメージングシステム３００は、検出器モジュール３０２、アクチュエータ３０４、ステージ３０５、焦点面アレイ３０６、およびレンズ３０８を含む。一部の実施形態では、イメージングシステム３００は、衛星、航空機、自動車などのような移動車両に搭載することができる。図３はまた、地面３１２上の物体に関連する光線３１０を示している。
【００３２】
[0042]図３では、イメージングシステム３００は、地面３１２上の物体の上を速度３１４で動いている。第１のフレーム３１６において、地面３１２上の物体に関連する光線３１０は、焦点面アレイ３０６の中心にあり、焦点面アレイ１０６上の第１の画像３１７は、地面３１２上の物体を示す。第２のフレーム３２０では、イメージングシステム３００は、イメージングシステム３００の速度３１４に起因して、地面３１２上の物体に対して動いている。第２のフレーム３２０では、地面３１２上の物体に関連する光線３１０は、もはや検出器モジュール３０２上の第１の位置になく第１の距離３２２だけ動いている。図３に示す実施形態では、図２で説明したコントローラ２０８などのコントローラは、アクチュエータ３０４に、速度３１４に対応する駆動速度においてステージ３０５をバックスキャンさせる。駆動速度は、ステージ３０５および焦点面アレイ３０６に第１の距離３２２だけ並進させる。したがって、焦点面アレイ３０６上の第２の画像３２１は、焦点面アレイ３０６上の第１の画像３１７と同じ位置にある。
【００３３】
[0043]第３のフレーム３２４では、イメージングシステム３００は、イメージングシステム３００の速度３１４に起因して、地面３１２上の物体に対してさらに動いている。第３のフレーム３２４において、地面３１２上の物体に関連する光線３１０は、この時点において第１の距離３２２および第２の距離３２６だけ動いている。コントローラは、アクチュエータ３０４にステージ３０５および焦点面アレイ３０６を第２の距離３２６だけバックスキャンさせる。したがって、焦点面アレイ３０６上の第３の画像３２５は、焦点面アレイ３０６上の第１の画像３１７および第２の画像３２１と同じ位置にある。第１の画像３１７、第２の画像３２１、および第３の画像３２５に示すように、駆動速度は、ステージおよび焦点面アレイ３０６をバックスキャンして、焦点面アレイ３０６上の画像を安定させるように構成することができる。その結果、画像スミアは発生しない。地面３１２上の物体の積分画像が、バックスキャンによる第１の画像３１７、第２の画像３２１、および第３の画像３２５の積分から生成された場合、地面３１２の物体の積分画像は、単一画像またはバックスキャンなしで複数の画像から生成された積分画像と比較して改善された信号対雑音比および他の品質測定基準を有する。
【００３４】
[0044]図４Ａは、本発明の一実施形態による、カメラ本体の速度に対して一定の速度において動く焦点面アレイによる連続する画像フレームのキャプチャの２つの完全なサイクルを示す。プロット４００は、本方法によって生成されたステージの鋸歯状運動プロファイルを示す。いくつかの実施形態では、本方法は、地表面に対する画像センサの速度に一致するようにスキャン速度を自動的に調整する。プロット４００は、ｙ軸に沿ったステージ位置４０２およびｘ軸に沿った時間４０４を示す。開始位置４０６はゼロであり、最終位置４０８は、ステージの物理的範囲およびスナップ期間の長さに基づく位置にある。一部の実施形態では、最終ステージ位置は、物理的範囲およびスナップ期間の長さのうちの短い方によって決定される。
【００３５】
[0045]図４Ａは、３つのスナップ期間、すなわち、第１のスナップ期間４１０、第２のスナップ期間４４０、および第３のスナップ期間４６０を含む。第１のスナップ期間４１０は、焦点面アレイが位置４１２から位置４１４に動くときの第１のフレーム４１３、焦点面アレイが位置４１４から位置４１６に動くときの第２のフレーム４１５、および、焦点面アレイが位置４１６から位置４１８に動くときの第３のフレーム４１７のキャプチャを含む。フレームは、総露光時間中にキャプチャされる。例えば、４２０の総運動サイクル期間を有する第１のスナップ期間４１０に関連する第２の時間セグメント４２４。各フレームの露光持続時間は、画像センサの飽和時間に依存する。例示的な実施形態では、フレームは、毎秒３０フレームのレートでキャプチャすることができる。結果としての最大露出時間は、フレームあたり３３．３ミリ秒、または３フレームの合計露光時間の場合は１００ミリ秒である。第１のスナップ期間４１０中の焦点面アレイの速度は、３つの時間セグメントに分割することができる。第１の時間セグメント４２２は、アクチュエータが加速し、焦点面アレイを一定の速度に到達させる期間に関連付けられる。第２の時間セグメント４２４は、アクチュエータが焦点面アレイをカメラ本体の速度に対応する一定の速度において動かしており、一定の速度がカメラ本体の速度によって引き起こされる像面の運動に対抗する期間に関連付けられる。カメラ本体の速度は、カメラ本体が配置されまたは取り付けられるプラットフォームの運動に対応することができる。プラットフォームは、例えば、衛星、航空機などを含むことができる。
【００３６】
[0046]第２の時間セグメント４２４中、画像は焦点面アレイ上で安定化され、フレームは画像のスミアまたはぼけを伴わずに、ともに積み重ねることができる。いくつかの実施形態では、画像センサが飽和しない場合、単一の連続的なフレームを、第２の時間セグメント４２４の持続時間にわたってキャプチャすることができる。いくつかの実施形態では、センサは、より高いフレームレートで動作することができ、同じ４２４時間セグメント中に４つ以上のフレームを積み重ねることができる。第３の時間セグメント４２６は、アクチュエータが焦点面アレイを最終位置４０８から開始位置４０６へと動かすのに必要な期間に関連付けられる。一部の実施形態では、第３の時間セグメントは、リセット時間と考えることができる。
【００３７】
[0047]第２のスナップ期間４４０は、焦点面アレイが４４２から４４４に動くときの第１のフレーム４４３、焦点面アレイが４４４から４４６に動くときの第２のフレーム４４５、および焦点面アレイが４４６から４４８に動くときの第３のフレーム４４７のキャプチャを含む。フレームは、４５０の総運動サイクル期間を有する、第２のスナップ期間４４０に関連する総露光時間４５０中にキャプチャされる。第２のスナップ期間４４０中の焦点面アレイの速度は、３つの時間セグメントに分割することができる。第１の時間セグメント４５２は、アクチュエータが加速し、焦点面アレイを一定の速度に到達させる期間に関連付けられる。第２の時間セグメント４５４は、アクチュエータが焦点面アレイを一定の速度において動かしている一定時間の期間に関連付けられる。第２の時間セグメント４５４中、画像は焦点面アレイ上で安定化され、フレームは画像のスミアまたはぼけを低減してまたは伴わずに、ともに積み重ねることができる。第３の時間セグメント４５６は、アクチュエータが焦点面アレイを最終位置４０８から開始位置４０６へと動かすのに必要な期間に関連付けられる。簡潔にするために、第３のスナップ期間は短縮されているが、第１のスナップ期間４１０および第２のスナップ期間４４０と同様の３つの積み重ねフレームを含む。第２の時間セグメント４２４および４５４中のステージの速度は、図２に記載されたコントローラ２０８に関連する駆動速度に対応することができる。いくつかの実施形態では、第１のスナップ期間４１０の第３の時間セグメント４２６と第２のスナップ期間４４０の第１の時間セグメント４５２との間に安定化期間を挿入することができる。
【００３８】
[0048]図４Ｂは、本発明の一実施形態によるスナップ間の重なりを示す。スナップ１、スナップ２、およびスナップ３は、地面４７０に沿った進行方向に沿って示されている。第１のスナップ重なり４７２および第２のスナップ重なり４７４は、焦点面アレイ上の１つまたは複数の焦点面アレイに関連する連続ストリップ画像を提供する。イメージングシステムの視野は、地面４７０に沿った進行方向に平行な距離に対応する寸法４７６、ｄを有する画像をキャプチャする。スナップ１の後縁４７８がスナップ１によってキャプチャされたシーンにわたって進行し、第１のスナップ重なり４７２の第１のエッジ４８０に到達する時間は、アクチュエータがステージおよび焦点面アレイを開始位置４０６にリセットするために利用可能な時間に対応する。各スナップは３つのフレームを含み、フレームスタッキングを使用して、結果もたらされるスナップの信号対雑音比を改善することができる。検出器アレイからの白色雑音は、複数のフレームがともに加算されることによって改善され、このＳＮＲの利益は、積み重ねられるフレーム数の平方根に対応する。画像センサをより長時間バックスキャンし、またはより高いフレームレートでセンサを動作させる結果として、スナップあたりのフレーム数が多くなり、結果としてのスナップ画像のＳＮＲが向上する。
【００３９】
[0049]図５Ａは、本発明の一実施形態による、圧電ステージ上の５つの互い違いに突き合わせされた焦点面アレイからなる焦点面アレイを示す。イメージングシステム５００は、焦点面アレイ５０２、第１の凝視型焦点面アレイ５０４、第２の凝視型焦点面アレイ５０６、第３の凝視型焦点面アレイ５０８、第４の凝視型焦点面アレイ５１０、および第５の凝視型焦点面アレイ５１２、ならびに熱ストラップ５１４を含む。各焦点面アレイは、１つまたは複数のスペクトルフィルタを含むことができる。いくつかの実施形態では、焦点面アレイ５０２は、図２に記載されているようにステージに結合することができる。いくつかの実施形態では、各焦点面アレイは、図４Ａおよび図４Ｂに示されるサイクルに従って画像をキャプチャすることができる。
【００４０】
[0050]図５Ｂは、本発明の一実施形態による、５つの互い違いに突き合わせされた焦点面アレイに関連するスキャンの地面観測幅５５０を示す。いくつかの実施形態では、図５Ａおよび図５Ｂを参照すると、焦点面アレイは、焦点面アレイ５０２によって生成されるスキャンにおけるデッドエリアを排除するために、互い違いに配置し、突き合わせることができる。例えば、第１の凝視型焦点面アレイ５０４および第２の凝視型焦点面アレイ５０６はともに位置整合され、第３の凝視型焦点面アレイ５０８、第４の凝視型焦点面アレイ５１０、および第５の凝視型焦点面アレイ５１２から違いに配置される。衛星の運動方向５１６は、各焦点面アレイに対応する一連の画像をキャプチャする。例えば、第１の凝視型焦点面アレイ５０４は第１のストリップ５２４に対応することができ、第２の凝視型焦点面アレイ５０６は第２のストリップ５２６に対応することができ、第３の凝視型焦点面アレイ５０８は第３のストリップ５２８に対応することができ、第４の凝視型焦点面アレイ５１０は第４のストリップ５３０に対応することができ、第５の凝視型焦点面アレイ５１２は第５のストリップ５３２に対応することができる。各ストリップは、複数のスナップから構成することができ、各スナップは、図４Ａおよび図４Ｂに示すように、複数のフレームに対応することができる。運動方向に垂直なスナップ寸法は、地面観測幅５５０を形成する。
【００４１】
[0051]図５Ａおよび図５Ｂは、５つの焦点面アレイを有するイメージングシステム５００を示すが、本発明のいくつかの実施形態によれば、イメージングシステムは、１２個までのスペクトルフィルタを有する、１〜１０個の焦点面アレイを含むことができる。他の実施形態は、多くのスペクトルフィルタを備えた多くの焦点面アレイを含むことができる。焦点面アレイの数を増やすことの利点は、マルチスペクトルイメージングのサポートである。当業者であれば、多くの変形、修正、および代替形態を認識するであろう。
【００４２】
[0052]図５Ａおよび図５Ｂに示されるように、イメージングシステム５００は、互い違いのレイアウトに構成される。ただし、互い違いであることは必須ではない。例えば、焦点面アレイ５０４、５０６、５０８、５１０、および５１２は並べて配置されてもよい。いずれにせよ、レイアウトの幅または高さが図とは異なるようにレイアウトを調整することができる。例えば、焦点面アレイ５０４、５０６、５０８、５１０、および５１２は、均等に分配されるか、または他の様態で広げることができ、それにより、地面観測幅５５０を増加させることができる。別の例では、焦点面アレイ５０４および５０６は、焦点面アレイ５０８、５１０、および５１２から垂直方向にさらに広がることができる。
【００４３】
[0053]付加的または代替的に、隣接するアレイ間の重なりの量も調整することができる。例えば、図示のように、例として焦点面アレイ５０４と焦点面アレイ５０８とはわずかに重なっている。しかし、例えば、５０４、５０６、５０８、５１０、および５１２などの焦点面アレイは、任意の程度の重なりを伴って、互いにさらに離間しまたは近接することができる。
【００４４】
[0054]図６は、本発明の一実施形態による、センサの焦点面アレイを並進させる方法６００を示す簡略化されたフローチャートである。６１０において、本方法は本体を提供する。いくつかの実施形態では、本体は運動している。６１２において、本方法は、本体に結合されているアクチュエータを提供する。いくつかの実施形態では、アクチュエータは、圧電アクチュエータとすることができる。６１４において、本方法は、アクチュエータに結合されているステージを提供する。いくつかの実施形態では、アクチュエータおよびステージは、圧電ステージを含むことができる。６１６において、本方法は、ステージに結合されている焦点面アレイを提供する。焦点面アレイは、１つまたは複数の焦点面アレイを含むことができる。６１８において、本方法は、本体の運動に対応する本体速度を決定する。６２０において、本方法は、本体速度に比例する駆動速度を決定する。６２２において、本方法は、本体の運動に対する駆動速度においてステージをバックスキャンする。いくつかの実施形態では、アクチュエータは、ステージを並進させて、ステージおよび焦点面アレイを駆動速度においてバックスキャンする。６２４において、本方法は、ステージのバックスキャン中に１つまたは複数のフレームをキャプチャする。いくつかの実施形態では、１つまたは複数の焦点面アレイは、１つまたは複数のフレームをキャプチャすることができる。
【００４５】
[0055]図６に示す方法は、本発明の実施形態による地球観測イメージング中に焦点面アレイをスキャンする特定の方法を提供することを理解されたい。代替の実施形態によれば、他の動作を実行することもできる。さらに、図６に示す個々の動作は、個々の動作にとって適切であるような様々なシーケンスで実行され得る複数の部分動作を含み得る。さらに、特定の用途に応じて、追加の動作を追加することができ、かつ／または、既存の動作を削除することができる。当業者であれば、多くの変形、修正、および代替形態を認識するであろう。
【００４６】
[0056]図７は、本発明の一実施形態による、焦点面アレイをバックスキャンするための方法７００を示す簡略化されたフローチャートである。７１０において、本方法は、カメラ本体の運動を開始する。いくつかの実施形態では、カメラ本体の運動は、地球の表面に沿った経路に関連付けることができる。カメラ本体は、レンズ、アクチュエータ、焦点面アレイ（または像面）を備えたステージ、およびコントローラのうちの１つまたは複数を含むことができる。一部の実施形態では、カメラ本体は、Ｉ／Ｏモジュールを含むことができる。７１２において、本方法は、駆動速度における焦点面アレイのバックスキャンを開始するための制御信号をアクチュエータに送信する。いくつかの実施形態では、制御信号は、画像のキャプチャを開始するコマンドを含むことができる。いくつかの実施形態では、制御信号は、ステージのバックスキャンに関連するタイマを始動／再開することができる。７１４において、本方法は本体速度を読み取る。本体速度は、コントローラ内のプロセッサによって決定および／または受信することができる。本体速度は、コントローラのプロセッサによって読み取ることができる。一部の実施形態では、本体速度は、一定の駆動速度に到達したことを示すことができ、コントローラは、１つまたは複数の画像のキャプチャを開始するコマンドを焦点面アレイに送信する。
【００４７】
[0057]７１６において、本方法は、本体速度および利得係数に従って駆動速度を更新する。一部の実施形態では、利得係数は、複数の項を有するベクトルまたは行列であってもよい。利得係数は、画像センサ寸法、アクチュエータ特性、焦点面アレイ特性などの画像センサの特性に基づいて駆動速度を調整することができる。いくつかの実施形態では、利得係数は、バックスキャン中に特定のステージ位置に適用することができる。いくつかの実施形態では、利得係数は、圧電アクチュエータにおけるヒステリシス効果を補償して、バックスキャン傾斜線形性を改善することができる。いくつかの実施形態では、特定の実施態様に特有の変数に対処するために、追加の速度スケール係数を追加することができる。
【００４８】
[0058]７１８において、本方法はステージ位置を決定する。いくつかの実施形態では、コントローラのプロセッサは、１つまたは複数のステージ位置センサからデータを読み取って、ステージ位置を決定することができる。他の実施形態では、ステージ位置は、駆動速度を使用して推定することができる。他の実施形態では、ステージ位置は、所定の期間に基づいて外挿することができる。７２０において、本方法は、ステージがカットオフ振幅に到達することを決定する。カットオフ振幅は、本体に対するステージおよびアクチュエータの最大位置に関連付けることができる。いくつかの実施形態では、外挿されたステージ位置を使用して、ステージが所定の期間内にカットオフ振幅に到達することを決定することができる。７２２において、本方法は、カットオフ振幅に達した後、ステージおよびアクチュエータを初期位置または状態に戻す。
【００４９】
[0059]図７に示す特定の動作は、本発明の実施形態による地球観測イメージング中に焦点面アレイをバックスキャンする特定の方法を提供することを理解されたい。代替の実施形態によれば、他の一連の動作を実行することもできる。さらに、図７に示す個々の動作は、個々の動作にとって適切であるような様々なシーケンスで実行され得る複数の部分動作を含み得る。さらに、特定の用途に応じて、追加の動作を追加することができ、かつ／または、既存の動作を削除することができる。当業者であれば、多くの変形、修正、および代替形態を認識するであろう。
【００５０】
[0060]図８は、本発明の実施形態による様々な焦点面アレイ構成の相対エッジ応答（ＲＥＲ）の比較を示す。プロット８００は、エッジからの距離の関数として画像のＲＥＲを示している。ｘ軸８１０は、ｘ軸８１０上のゼロのエッジからのピクセル単位の距離を示す。ｙ軸８１２は、ＲＥＲ振幅を示す。第１の焦点面アレイ構成は、単一のフレームをキャプチャするトレース８１６によって示される静的焦点面アレイである。ゼロピクセルにおける静的焦点面アレイのＲＥＲは０．５２７５９である。
【００５１】
[0061]第２の焦点面アレイ構成は、トレース８１４によって示される非バックスキャン焦点面アレイである。第２の焦点面アレイ構成は、２８０ノットの対地速度において非バックスキャン焦点面アレイの運動をシミュレートする試験車両に取り付けられる。ゼロピクセルにおいて２８０ノットの対地速度で進行する非バックスキャン焦点面アレイのＲＥＲは０．３４１４１である。第３の焦点面アレイ構成は、対地速度２８０ノットにおける焦点面アレイの運動をシミュレートする試験車両に取り付けられたトレース８１８によって示されるバックスキャン焦点面アレイである。ゼロピクセルにおけるバックスキャン焦点面アレイのＲＥＲは０．５２９５３である。プロット８００は、非バックスキャン焦点面アレイのＲＥＲが、静的焦点面アレイから約３５％だけ劣化する８２０ことを示している。劣化したＲＥＲは、焦点面アレイの積分時間中の焦点面アレイの運動によって引き起こされる不鮮明さが原因である。プロット８００は、バックスキャン焦点面アレイのＲＥＲが静的焦点面アレイのＲＥＲにほぼ等しいことを示している。
【００５２】
[0062]説明したように、特定の実施形態は、ステージ速度がプラットフォーム速度と一致するように比較的安定し得る衛星システムにおいて実施することができる。代替として、実施形態は、ステージ速度にわずかな偏差を有する場合がある航空機において実施することができる。したがって、ステージ速度がリアルタイムで定期的に更新されるように、フィードバックループを実施することができる。画像間のピクセルの相関、または図７および９に関して説明したプロセスの実行など、種々の技法が可能である。
【００５３】
[0063]図９は、本発明の一実施形態による、焦点面アレイをバックスキャンするための追加の方法９００を示す簡略化されたフローチャートである。９１２において、本方法は、駆動速度におけるステージのバックスキャンを開始するための制御信号をアクチュエータに送信する。焦点面アレイは、ステージに取り付けることができる。９１４において、本方法は本体速度を読み取る。本体速度は、コントローラ内のプロセッサによって決定および／または受信することができる。本体速度は、Ｉ／Ｏサブシステムから受信することができる。一部の実施形態では、本体速度は、一定の駆動速度に到達したことを示すことができ、コントローラは、１つまたは複数の画像のキャプチャを開始するコマンドを焦点面アレイに送信する。
【００５４】
[0064]９１６において、本方法は、本体速度に従って駆動速度を更新する。場合によっては、１つまたは複数の利得係数を使用することができる。例えば、単一の利得係数を使用することができる。別の例では、複数の項を有するベクトルまたは行列などの複数の利得係数を使用することができる。利得係数（複数可）は、画像センサ寸法、アクチュエータ特性、焦点面アレイ特性などの画像センサの特性に基づいて駆動速度を調整することができる。いくつかの実施形態では、利得係数（複数可）は、バックスキャン中に特定のステージ位置に適用することができる。いくつかの実施形態では、利得係数（複数可）は、圧電アクチュエータにおけるヒステリシス効果を補償して、バックスキャン傾斜線形性を改善することができる。いくつかの実施形態では、特定の実施態様に特有の変数に対処するために、追加の速度スケール係数を追加することができる。
【００５５】
[0065]９１８において、本方法はステージ位置を決定する。いくつかの実施形態では、コントローラのプロセッサは、１つまたは複数のステージ位置センサからデータを読み取って、ステージ位置を決定することができる。他の実施形態では、ステージ位置は、駆動速度を使用して推定することができる。他の実施形態では、ステージ位置は、所定の期間に基づいて外挿することができる。
【００５６】
[0066]９２０において、本方法は、ステージがカットオフ振幅に到達することを決定する。カットオフ振幅は、本体に対するステージおよび／またはアクチュエータの最大位置に関連付けることができる。いくつかの実施形態では、外挿されたステージ位置を使用して、ステージが所定の期間内にカットオフ振幅に到達することを決定することができる。
【００５７】
[0067]９２２において、ステージがカットオフ振幅に到達したことを決定した後、本方法はステージを初期位置にリセットする。これにより、焦点面アレイも初期位置にリセットされる。
【００５８】
[0068]図９に示す特定の動作は、本発明の実施形態による地球観測イメージング中に焦点面アレイをバックスキャンする特定の方法を提供することを理解されたい。代替の実施形態によれば、他の一連の動作を実行することもできる。さらに、図９に示す個々の動作は、個々の動作にとって適切であるような様々なシーケンスで実行され得る複数の部分動作を含み得る。さらに、特定の用途に応じて、追加の動作を追加することができ、かつ／または、既存の動作を削除することができる。当業者であれば、多くの変形、修正、および代替形態を認識するであろう。
【００５９】
[0069]また、本明細書に記載された実施例および実施形態は、説明の目的のみのものであり、それに照らして様々な修正または変更が当業者に示唆され、本出願の趣旨および範囲ならびに添付の特許請求項の範囲内に含まれるべきであることも理解される。
【図１】
2021520100.tif 000003
【図２】
2021520100.tif 000004
【図３】
2021520100.tif 000005
【図４Ａ】
2021520100.tif 000006
【図４Ｂ】
2021520100.tif 000007
【図５Ａ】
2021520100.tif 000008
【図５Ｂ】
2021520100.tif 000009
【図６】
2021520100.tif 000010
【図７】
2021520100.tif 000011
【図８】
2021520100.tif 000012
【図９】
2021520100.tif 000013
【国際調査報告】
2021520100.tif 000014